(57)【特許請求の範囲】
【請求項１】
下記の要件を備えたことを特徴とする扉止め装置。
（イ）開閉する扉に取り付けられる扉側装置と、床面に取り付けられる床面側装置とからなること。
（ロ）扉側装置は、扉に固定されるケースと、ケースの内部に収納される磁石と、ケース内に収納される係止軸とからなること。
（ハ）床面側装置は、床面に固定される基台と、基台に回動自在に取り付けられた金属製ストッパー板とからなり、金属製ストッパー板には、係止凹部が形成されていること。
（ニ）ケースには、係止軸を非係止位置から係止位置に移動させる操作手段が設けられていること。
（ホ）ケースには、扉が開閉して扉側装置が床面側装置の上方に位置すると、扉側装置の磁石により金属製ストッパー板が上方に回動して当接する底壁が形成されていること。
（ヘ）ケースの底壁には、底壁に当接した金属製ストッパー板を係止して、扉の開閉を規制する係止突起が設けられていること。
（ト）ケースの底壁には、ケース内の非係止位置にある係止軸を係止位置に突出させて、ケースの底壁に当接して係止突起に係止された金属製ストッパー板の係止凹部に係止軸を係止させる挿通孔が形成されていること。
【請求項２】
下記の要件を備えたことを特徴とする扉。
（イ）扉には、扉側装置が取り付けられていること。
（ロ）扉側装置は、扉に固定されるケースと、ケースの内部に収納される磁石と、ケース内に収納される係止軸とからなること。
（ハ）ケースには、係止軸を非係止位置から係止位置に移動させる操作手段が設けられていること。
（ニ）ケースには、床面に固定される基台と基台に回動自在に取り付けられた金属製ストッパー板とからなる床面側装置の上方に、扉が開閉して扉側装置が位置すると、扉側装置の磁石により金属製ストッパー板が上方に回動して当接する底壁が形成されていること。
（ホ）ケースの底壁には、底壁に当接した金属製ストッパー板を係止して、扉の開閉を規制する係止突起が設けられていること。
（ヘ）ケースの底壁には、ケース内の非係止位置にある係止軸を係止位置に突出させて、ケースの底壁に当接して係止突起に係止された金属製ストッパー板に形成された係止凹部に係止軸を係止させる挿通孔が形成されていること。
【発明の詳細な説明】
【０００１】
【発明の属する技術分野】
本願発明は、扉を所定位置まで開いたり又は閉じたりすると、床面に設けられた金属製ストッパー板によって扉が係止され、扉の開閉を規制する扉止め装置に関する。
【０００２】
【従来の技術】
従来の扉止め装置は、特許第２９８３５３０号公報、特許第２９９０６０１号公報に開示されているように、開閉する扉に取り付けられる扉側装置と、床面に取り付けられる床面側装置とからなり、扉側装置のケースの下部に剥き出し状態で磁石が設けられ、扉が開いて扉側装置が床面側装置の上方に位置すると、床面側装置に回動自在に取り付けられた金属製ストッパー板が、扉側装置の磁石により上方に回動し、剥き出しの磁石に直接当接して係止され、扉の開閉を規制するようになっている。
【０００３】
【発明が解決しようとする課題】
上記従来の扉止め装置は、扉側装置のケースの下部が開放され、磁石が剥き出し状態で設けられているので、見た目が悪く、開放された下部から埃や塵が入るという問題点があった。また、金属製ストッパー板が磁石に引き寄せられて、磁石に衝撃的に圧接するので、金属音が発生すると共に、その衝撃により磁石の一部が破損して砕けたり、金属製ストッパー板が傷ついたりして、長期間使用することが出来ないという問題点があった。磁石の一部が破損して床面に落ちると、誤って踏んで怪我する場合がある。また、金属製ストッパー板が磁石に摺接するので、金属製ストッパー板及び磁石が傷つきやすく、メッキが剥がれたり、摩耗したり、錆が発生し易いという問題点もあった。
【０００４】
本願発明は、上記問題点に鑑み案出したものであって、磁石をケース内に収納して金属製ストッパー板が磁石に接触しないようにすることによって、埃や塵が入るのを防止でき、さらに見た目を良くし、金属製ストッパー板が磁石に直接的に接触することによって発生する金属音、磁石の破損、金属製ストッパー板の損傷を防止でき、長期間使用することが出来るようにした扉止め装置を提供することを第１の目的とする。またこの扉止め装置が取り付けられた扉を提供することを第２の目的とする。
【０００５】
【課題を解決するための手段】
請求項１記載の扉止め装置は、上記第１の目的を達成するため、下記の手段を有する。
（イ）開閉する扉に取り付けられる扉側装置と、床面に取り付けられる床面側装置とからなること。
（ロ）扉側装置は、扉に固定されるケースと、ケースの内部に収納される磁石と、ケース内に収納される係止軸とからなること。
（ハ）床面側装置は、床面に固定される基台と、基台に回動自在に取り付けられた金属製ストッパー板とからなり、金属製ストッパー板には、係止凹部が形成されていること。
（ニ）ケースには、係止軸を非係止位置から係止位置に移動させる操作手段が設けられていること。
（ホ）ケースには、扉が開閉して扉側装置が床面側装置の上方に位置すると、扉側装置の磁石により金属製ストッパー板が上方に回動して当接する底壁が形成されていること。
（ヘ）ケースの底壁には、底壁に当接した金属製ストッパー板を係止して、扉の開閉を規制する係止突起が設けられていること。
（ト）ケースの底壁には、ケース内の非係止位置にある係止軸を係止位置に突出させて、ケースの底壁に当接して係止突起に係止された金属製ストッパー板の係止凹部に係止軸を係止させる挿通孔が形成されていること。
【０００６】
請求項２記載の扉は、上記第２の目的を達成するため、下記の手段を有する。
（イ）扉には、扉側装置が取り付けられていること。
（ロ）扉側装置は、扉に固定されるケースと、ケースの内部に収納される磁石と、ケース内に収納される係止軸とからなること。
（ハ）ケースには、係止軸を非係止位置から係止位置に移動させる操作手段が設けられていること。
（ニ）ケースには、床面に固定される基台と基台に回動自在に取り付けられた金属製ストッパー板とからなる床面側装置の上方に、扉が開閉して扉側装置が位置すると、扉側装置の磁石により金属製ストッパー板が上方に回動して当接する底壁が形成されていること。
（ホ）ケースの底壁には、底壁に当接した金属製ストッパー板を係止して、扉の開閉を規制する係止突起が設けられていること。
（ヘ）ケースの底壁には、ケース内の非係止位置にある係止軸を係止位置に突出させて、ケースの底壁に当接して係止突起に係止された金属製ストッパー板に形成された係止凹部に係止軸を係止させる挿通孔が形成されていること。
【００１１】
【発明の実施の形態】
本願発明の一つの実施の形態を図１乃至図７に基づいて説明する。図１は、扉止め装置の扉側装置の一つの実施の形態を示す分解斜視図である。図２は、図１の前壁を外した正面図である。図３は、図１の動きを説明した正面図である。図４は、図１の組み立てた状態を示す組立斜視図である。図５は、扉止め装置の使用状態を示す斜視図である。図６、７は、扉止め装置の使用状態を示す一部断面にした側面図である。
【００１２】
扉止め装置Ａは、開閉する扉Ｄに取り付けられる扉側装置１と、床面Ｆに取り付けられる床面側装置５０とからなる。扉側装置１は、扉Ｄに固定されるケース２と、ケース２の内部に収納される磁石１３とからなり、ケース２の底壁８に係止突起８ａが設けられている。床面側装置５０は、床面Ｆに固定される基台５３と、基台５３に回動自在に取り付けられた金属製ストッパー板５２とからなり、扉Ｄが開閉して扉側装置１が上方に位置すると、扉側装置１の磁石１３により金属製ストッパー板５２が上方に回動し、金属製ストッパー板５２がケース２の底壁８に当接して係止突起８ａに係止され、扉Ｄの開閉を規制するようになっている。この金属製ストッパー板５２には、係止凹部５１が形成されている。扉側装置１は、金属製ストッパー板５２の係止凹部５１に係止可能な係止軸２５を有する。ケース２には、係止軸２５を非係止位置から係止位置に移動させる操作手段２０が設けられている。
【００１３】
さらにケース２は、係止軸２５が係止凹部５１に係止する係止位置と係止軸２５が係止凹部５１に係止していない非係止位置で、操作手段２０又は係止軸２５を保持する保持手段４５を備えている。操作手段２０又は係止軸２５の一側には案内溝４０が形成され、案内溝４０には第１の係合部４１と第２の係合部４２が形成されている。保持手段４５は、係合突起４６を有し、この係合突起４６が操作手段２０又は係止軸２５の案内溝４０に摺動自在に案内され、案内溝４０の第１の係合部４１に係合すると係止軸２５を係止位置で保持し、案内溝４０の第２の係合部４２に係合すると係止軸２５を非係止位置で保持するようになっている。
【００１４】
操作手段２０は第１の弾性部材３７により係止軸２５の反係止方向に付勢されている。操作手段２０と係止軸２５は、別々に形成され、どちらか一方に形成された突起２７が他方に形成された凹部２９に係合して連結されている。凹部２９は縦長状に形成され、突起２７が摺動自在に係合している。係止軸２５は、突起２７の摺動範囲内で、操作手段２０に対して移動でき、第２の弾性部材３３によって係止方向に付勢されている。
【００１５】
さらに壁止め装置Ａについて詳細に説明する。ケース２は、前壁３と、両側壁４，５と、上壁６と、後壁７と、底壁８からなる、密閉された箱形形状に形成され、前壁３がネジ等によって着脱自在に取り付けられるようになっている。前壁３には、第１の仕切壁９と、第２の仕切壁１０が設けられている。ケース２は、側壁４と第１の仕切壁９と底壁８によって、収納室１１が形成され、第１の仕切壁９と第２の仕切壁１０によって、摺動室１２が形成されている。底壁８には、端部に係止突起８ａ，８ａが設けられ、略中央に挿通孔８ｂが形成されている。一方の係止突起８ａは、底壁８の一方に突設形成され、他方の係止突起８ａは、前壁３の下端によって形成されている。
【００１６】
収納室１１内には、磁石１３が設けられている。磁石１３は、略中心に形成された透孔１３ａに、後壁７に設けられた支軸１４を通すことによって、収納室１１内で固定されているが、これに限定されるものではなく、単に収容室１１内に着脱自在に嵌合できるようにしても構わないのは勿論である。上壁６には、摺動室１２に連通する開口１５が形成されている。操作手段２０は、矩形ガイド軸２１と、ガイド軸２１の上端に設けられた押圧板２２とからなる。ガイド軸２１の内側には、矩形状の係止軸２５を軸方向に摺動自在に収納する収納凹部２３が形成されている。
【００１７】
係止軸２５は、下端に係止ピン２６が一体に形成されている。係止軸２５の側面には、突起２７が形成されている。ガイド軸２１は、収納凹部２３に軸方向に沿って伸びる縦長状の凹部２９が形成されている。係止軸２５は、突起２７が凹部２９に摺動自在に係合して、ガイド軸２１に連結されている。
【００１８】
収納凹部２３の上段部３１には、バネ受け穴３２が形成され、このバネ受け穴３２にバネ３３の一端が取り付けられている。バネ３３の他端は、係止軸２５の上端に形成されたバネ受け穴２４に取り付けられている。このようにして、係止軸２５は、突起２７の穴部２９の摺動範囲内で、ガイド軸２１に対して移動でき、バネ（第２の弾性部材）３３によって係止方向（下方）に付勢されている。
【００１９】
操作手段２０は、ガイド軸２１が摺動室１２内に摺動自在に設けられ、押圧板２２がケース２から突出して上壁６上に位置する。係止軸２５は、これの係止ピン２６が底壁８に形成された挿通孔８ｂに出没自在に案内される。
【００２０】
ケース２の上壁６には、有底筒状のバネ受け部３５が形成され、このバネ受け部３５にバネ３７の一端が取り付けられている。このバネ３７の他端は、操作手段２０の押圧板２２に形成されたバネ受け穴２８に圧接し、操作手段２０を係止軸２５の反係止方向（上方）に付勢している。なお、バネ受け穴２８は、バネ受け部３５を遊嵌する。
【００２１】
操作手段２０のガイド軸２１には、略ハート状の案内溝４０が形成されている。案内溝４０は、上部に第１の係合部４１が形成され、下部に第２の係合部４２が形成されている。前壁３には、針金部材によって形成された保持手段４５の下端が一対の挟持突起３ａ，３ｂに挟持されて固定されている。この保持手段４５は、先端が略直角に折曲されて係合突起４６が形成され、素材の弾性により撓むようになっている。この係合突起４６は、ガイド軸２１の案内溝４０に摺動自在に案内され、案内溝４０の第１の係合部４１と第２の係合部４２に係合し、ガイド軸２１を保持する。
【００２２】
上記ケース２は、図５に示すように、開閉する扉Ｄの下部にネジ４９，４９、接着剤等によって取り付けられる。床面側装置５０は、図５，６に示すように、床面Ｆに固定される基台５３と、基台５３に回動自在に取り付けられた金属製ストッパー板５２とからなる。金属製ストッパー板５２に形成された係止凹部５１は、開口によって構成されている。金属製ストッパー板５２は、円盤状の基台５３に形成された矩形状凹部５５内に一端が回動自在に取り付けられるようにして設けられている。この基台５３は、床面Ｆにネジ５６、接着剤等によって固定されている。
【００２３】
扉止め装置Ａは、上記構成を有し、通常は係止軸２５が、図２に示すように、非係止位置、即ちケース２内に収納されている。この時、保持手段４５の係合突起４６が、案内溝４０の第２の係合部４２に係合して、ガイド軸２１を保持している。
【００２４】
操作手段２０、即ち押圧板２２をバネ（第１の弾性部材）３７の弾性に抗して押圧操作すると、ガイド軸２１が押し下げられ、バネ（第２の弾性部材）３３を介して係止軸２５の係止ピン２６を押し出す。保持手段４５の係合突起４６が、図３に示すように、案内溝４０の第１の係合部４１に係合し、係止軸２５が係止位置に突出して保持される。
【００２５】
また、操作手段２０、即ち押圧板２２をバネ（第１の弾性部材）３７の弾性に抗して押圧し、この押圧を解除すると、保持手段４５の係合突起４６が案内溝４０の第１の係合部４１から外れ、バネ（第１の弾性部材）３７の弾性により、ガイド軸２１及び係止軸２５が反係止方向に移動する。保持手段４５の係合突起４６が、図２に示すように、案内溝４０の第２の係合部４２に係合し、係止軸２５が非係止位置、即ちケース２内に収納されて保持される。
【００２６】
このように、扉止め装置Ａは、操作手段２０、即ち押圧板２２の押圧操作のみで係止軸２５を係止位置、非係止位置に切り替えることができる。なお、保持部材４５の係合突起４６は、図３に示すように、案内溝４０を反時計方向に回転する。係止軸２５は、ガイド軸２１に対して摺動し、さらにバネ（第２の弾性部材）３３によって係止方向に付勢されているので、係止軸２５が係止位置にあるとき、この係止軸２５に強い力が加わった場合、係止軸２５がバネ（第２の弾性部材）３３に抗して反係止方向に摺動することができ、係止軸２５及びケース２の壊れを防止することができる。
【００２７】
扉Ｄを開いた時の扉側装置１の下部の床面Ｆの所定位置に、図５に示すように、床面側装置５０の基台５３をネジ５６等によって固定しておくと、扉Ｄを開いた時に金属製ストッパー板５２がケース２内の磁石１３の磁力によって先端が引き上げられるように回動し、金属製ストッパー板５２の先端がケース２の底壁８に当接して係止突起８ａに係止され、扉Ｄの開閉を規制する（図６参照）。前記したように、押圧板２２を押圧操作すると係止ピン２６が係止位置に突出し、図７に示すように、この係止ピン２６が金属製ストッパー板５２の係止凹部５１に係止される。そのため、扉Ｄは、開いた状態で床面側装置５０に止められる。
【００２８】
再度、押圧板２２を押圧操作すると係止ピン２６が非係止位置に戻り、図６に示すように、この係止ピン２６が金属製ストッパー板５２の係止凹部５１から外れるので、扉Ｄを閉じる方向に回動することができる。このように、扉Ｄを開いた状態で床Ｆに固定し、この固定を解除する一連の作業は、押圧板２２を踏む動作だけで行うことができるので、無理に脚を曲げ腰を屈めて行わないで、立ったままでできるので、手足腰の不自由な人でも簡単に行うことができる。
【００２９】
本願発明の他の実施の形態を図８乃至図１２に基づいて説明する。図８は、扉止め装置の他の実施の形態を示す全体斜視図である。図９は、図８の扉側装置の背面から視た斜視図である。図１０は、図８の側面図である。図１１は、図８の平面図である。図１２は、図８の正面図である。
【００３０】
扉止め装置Ｂは、開閉する扉Ｄに取り付けられる扉側装置６１と、床面Ｆに取り付けられる床面側装置５０とからなる。扉側装置６１は、扉Ｄに固定されるケース６２と、ケース６２の内部に収納される磁石７３とからなり、ケース６２の底壁６８に係止突起６９が設けられている。床面側装置５０は、床面Ｆに固定される基台５３と、基台５３に回動自在に取り付けられた金属製ストッパー板５２とからなり、扉Ｄが開閉して扉側装置６１が上方に位置すると、扉側装置６１の磁石７３により金属製ストッパー板５２が上方に回動し、金属製ストッパー板５２がケース６２の底壁６８に当接して係止突起６９に係止され、扉Ｄの開閉を規制するようになっている。
【００３１】
さらに壁止め装置Ｂについて詳細に説明する。床面側装置５０は、前述した通りなので、説明を省略する。ケース６２は、合成樹脂により一体成形されており、磁石７３を収容する収容膨大部６３と、収容膨大部６３を囲むフランジ６５とからなる。さらに、ケース６２は、後壁６６と底壁６８を有する密閉形状に形成されている。後壁６６には、収納凹部６７が形成されている。収納凹部６７内には、磁石７３を着脱自在に取り付ける取付板７０，７１，７２が形成されている。フランジ６５の両側には、ネジ通し孔７５，７６が形成されている。底壁６８には、端部に係止突起６９が設けられている。
【００３２】
上記ケース６２は、図８，図１１（ｂ）に示すように、開閉する扉Ｄの下部にネジ、接着剤等によって取り付けられる。ネジで取り付ける場合は、ネジ７７，７７をケース６２のネジ通し孔７５，７６に通し、このネジ７７，７７を扉Ｄにねじ込むことによって、扉Ｄに取り付けられる。ケース６２は、後壁６６の収納凹部６７が扉Ｄに塞がれるので、収納凹部６７内が密閉され、塵や埃が入り込むことがない。床面側装置５０は、図８に示すように、扉Ｄを開いた時の扉側装置６１の下部の床面Ｆの所定位置にネジ５６等によって固定される。
【００３３】
扉止め装置Ｂは、上記構成を有し、扉Ｄを開いた時に金属製ストッパー板５２がケース６２内の磁石７３の磁力によって先端が引き上げられるように回動し、金属製ストッパー板５２の先端がケース６２の底壁６８に当接して係止突起６９に係止され、扉Ｄの開放を規制する（図１０参照）。なお、ケース６２の底壁６８に係止突起６９が設けられていない場合は、金属製ストッパー板５２の先端がケース６２の底壁６８に当接して扉Ｄの一側に係止され、扉Ｄの開閉を規制する。
【００３４】
【発明の効果】
以上説明してきたように、本願発明に係る扉止め装置は、開閉する扉に扉側装置が取り付けられ、床面に床面側装置が取り付けられ、扉を開閉して床面側装置の上部に扉側装置が位置すると、床面側装置の金属製ストッパー板が扉側装置のケース内の磁石によって引き上げられ、金属製ストッパー板がケースの底壁に当接して係止突起に係止され、扉の開閉を規制する。このように、本願発明に係る扉止め装置は、磁石がケース内に収納され、磁石が剥き出しになっていないので、見た目を良くすることができ、ケース内に塵や埃が入ることを防止することができるという効果がある。
【００３５】
また、本願発明に係る扉止め装置は、金属製ストッパー板がケースの底壁に当接して係止突起に係止されるので、金属製ストッパー板が扉に接触することがなく、扉を傷つけないという効果がある。さらにまた、金属製ストッパー板は、ケースの底壁に接触し、磁石に直接的に接触することがないので、直接接触の衝撃により発生する金属音、磁石の破損、金属製ストッパー板の損傷、金属製ストッパー板が磁石に摺接することによる金属製ストッパー板及び磁石の摩耗、傷による錆の発生等を防止することができ、長期間使用することが出来るという効果がある。
【００３６】
本願発明に係る扉止め装置は、開閉する扉に取り付けられた扉側装置に、金属製ストッパー板の係止凹部を係止する係止軸が設けられているので、上記効果に加え、扉を床面に取り付けられた床面側装置に回動不能に固定することが出来るという効果がある。
【００３７】
本願発明に係る扉は、扉側装置が取り付けられ、扉を開閉して床面に取り付けられた床面側装置の上部に扉側装置が位置すると、床面側装置の金属製ストッパー板が扉側装置のケース内の磁石によって引き上げられ、金属製ストッパー板がケースの底壁に当接して係止突起に係止されて開閉が規制される。このように、本願発明に係る扉は、磁石がケース内に収納され、磁石が剥き出しになっていない扉側装置が取り付けられているので、見た目を良くすることができ、ケース内に塵や埃が入ることを防止することができるという効果がある。
【００３８】
また、本願発明に係る扉は、金属製ストッパー板がケースの底壁に当接して係止突起に係止されるので、金属製ストッパー板が扉に接触することがなく、扉を傷つけないという効果がある。さらにまた、金属製ストッパー板が、ケースの底壁に接触し、磁石に直接的に接触することがないので、直接接触の衝撃により発生する金属音、磁石の破損、金属製ストッパー板の損傷、金属製ストッパー板が磁石に摺接することによる金属製ストッパー板及び磁石の摩耗、傷による錆の発生等を防止することができ、長期間使用することが出来るという効果がある。
【００３９】
本願発明に係る扉は、取り付けられた扉側装置に、金属製ストッパー板の係止凹部を係止する係止軸が設けられているので、上記効果に加え、床面に取り付けられた床面側装置に回動不能に固定されることが出来るという効果がある。
【図面の簡単な説明】
【図１】扉止め装置の扉側装置の一つの実施の形態を示す分解斜視図である。
【図２】図１の前壁を外した正面図である。
【図３】図１の動きを説明した正面図である。
【図４】図１の組み立てた状態を示す組立斜視図である。
【図５】扉止め装置の使用状態を示す斜視図である。
【図６】扉止め装置の使用状態を示す一部断面にした側面図である。
【図７】扉止め装置の使用状態を示す一部断面にした側面図である。
【図８】扉止め装置の他の実施の形態を示す全体斜視図である。
【図９】図８の扉側装置の背面から視た斜視図である。
【図１０】図８の側面図である。
【図１１】図８の平面図である。
【図１２】図８の正面図である。
【符号の説明】
Ａ  扉止め装置
Ｂ  扉止め装置
Ｄ  扉
Ｆ  床面
１  扉側装置
２  ケース
３  前壁
３ａ  挟持突起
３ｂ  挟持突起
４  側壁
５  側壁
６  上壁
７  後壁
８  底壁
８ａ  係止突起
８ｂ  挿通孔
９  第１の仕切壁
１０  第２の仕切壁
１１  収納室
１２  摺動室
１３  磁石
１３ａ  透孔
１４  支軸
１５  開口
２０  操作手段
２０ａ  揺動操作レバー
２０ｂ  上下スライド操作レバー
２１  ガイド軸
２２  押圧板
２２ａ  開口
２２ｂ  開口
２３  収納凹部
２４  バネ受け穴
２５  係止軸
２６  係止ピン
２７  突起
２８  バネ受け穴
２９  凹部
３１  上段部
３２  バネ受け穴
３３  バネ（第２の弾性部材）
３５  バネ受け部
３７  バネ（第１の弾性部材）
４０  案内溝
４１  第１の係合部
４２  第２の係合部
４５  保持手段
４６  係合突起
４９  ネジ
５０  床面側装置
５１  係止凹部
５２  金属製ストッパー板
５３  基台
５５  凹部
５６  ネジ
６１  扉側装置
６２  ケース
６３  収容膨大部
６５  フランジ
６６  後壁
６７  収納凹部
６８  底壁
６９  係止突起
７０  取付板
７１  取付板
７２  取付板
７３  磁石
７５  ネジ通し孔
７６  ネジ通し孔
７７  ネジ
【図１】
0003593062.tif 000002
【図２】
0003593062.tif 000003
【図３】
0003593062.tif 000004
【図４】
0003593062.tif 000005
【図５】
0003593062.tif 000006
【図６】
0003593062.tif 000007
【図７】
0003593062.tif 000008
【図８】
0003593062.tif 000009
【図９】
0003593062.tif 000010
【図１０】
0003593062.tif 000011
【図１１】
0003593062.tif 000012
【図１２】
0003593062.tif 000013